(57)【要約】      （修正有）【課題】ユーザー側の温水器に合せて用いられる加熱制御装置を提供する。【解決手段】バルブユニット２０は、水入り部２１と第１の水出し部２２との間を連通させると共に水入り部２１と第２の水出し部２３との間を遮断する通常状態と、水入り部２１と第１の水出し部２２との間を遮断すると共に水入り部２１と第２の水出し部２３との間を連通させるワーク状態とに切り替えるようになる。制御ユニットは、水入り部２１からの水の温度変化により生じた感知信号を出力する温度感知部材３１と、温度感知部材３１に電気的に連結され、温度感知部材３１からの感知信号を受けると共に、感知信号が基準信号範囲内にあると、バルブモジュール２４がワーク状態に切替えるように駆動制御する制御モジュールとを有する。【選択図】図１
0003166816.tif 000002
【実用新案登録請求の範囲】
【請求項１】
太陽熱温水システムに適用する加熱制御装置であって、
前記太陽熱温水システムに連結された水入り部と、前記水入り部と連通するように連結された第１の水出し部と、前記水入り部と連通するように連結された第２の水出し部と、前記水入り部と前記第１の水出し部との間を連通させると共に前記水入り部と前記第２の水出し部との間を遮断する通常状態と前記水入り部と前記第１の水出し部との間を遮断すると共に前記水入り部と前記第２の水出し部との間を連通させるワーク状態とに切り替えるバルブモジュールとを有するバルブユニットと、
前記水入り部と連結され、前記水入り部からの水の温度変化により生じた感知信号を出力する温度感知部材と、前記温度感知部材に電気的に連結され、基準信号範囲が内蔵され、前記温度感知部材からの感知信号を受けると共に、当該感知信号が前記基準信号範囲内にあると、前記バルブモジュールが前記ワーク状態に切替えるように駆動制御する制御モジュールとを有する制御ユニットと、
を備えていることを特徴とする加熱制御装置。
【請求項２】
前記バルブモジュールは、前記水入り部及び前記第１の水出し部の間に設けられた常開式電磁バルブと、前記水入り部及び前記第２の水出し部の間に設けられた常閉式電磁バルブとを有し、
前記制御モジュールは、前記常開式電磁バルブ及び前記常閉式電磁バルブの間に電気的に連結されたことを特徴とする請求項１に記載の加熱制御装置。
【請求項３】
太陽熱温水システムに適用する加熱制御装置であって、
水供給配管と、水供給配管内の水を加熱する加熱モジュールとを有する温水供給器と、
前記太陽熱温水システム及び前記温水供給器の間に連結されたバルブユニットであって、前記太陽熱温水システムに連結された水入り部と、前記水入り部と連通するように連結された第１の水出し部と、前記水入り部と連通するように連結された第２の水出し部と、前記水入り部と前記第１の水出し部との間を連通させると共に前記水入り部と前記第２の水出し部との間を遮断する通常状態と前記水入り部と前記第１の水出し部との間を遮断すると共に前記水入り部と前記第２の水出し部との間を連通させるワーク状態とに切替えるバルブモジュールとを有するバルブユニットと、
前記水入り部と連結され、前記水入り部からの水の温度変化により生じた感知信号を出力する温度感知部材と、前記温度感知部材に電気的に連結され、基準信号範囲が内蔵され、前記温度感知部材からの感知信号を受けると共に、当該感知信号が前記基準信号範囲内にあると、前記バルブモジュールが前記ワーク状態に切替えるように駆動制御する制御モジュールとを有する制御ユニットと、
を備えていることを特徴とする加熱制御装置。
【請求項４】
前記バルブモジュールは、前記水入り部及び前記第１の水出し部の間に設けられた常開式電磁バルブと、前記水入り部及び前記第２の水出し部の間に設けられた常閉式電磁バルブとを有し、
前記制御モジュールは、前記常開式電磁バルブ及び常閉式電磁バルブの間に電気的に連結されたことを特徴とする請求項３に記載の加熱制御装置。
【請求項５】
前記制御ユニットは、前記通常状態及び前記ワーク状態により異なる発光信号を発する報知部材を更に有することを特徴とする請求項３に記載の加熱制御装置。
【考案の詳細な説明】
【技術分野】
【０００１】
本考案は、加熱制御装置に関し、特に太陽熱温水システムに適用する加熱制御装置に関する。
【背景技術】
【０００２】
図５は、従来の太陽熱を利用する温水装置の一例を示す図である。この温水装置１００は、例えば熱媒体としての水などを貯めた貯槽１１と、太陽熱集熱器１２と、貯槽１１の水を単独加熱するための電熱ヒーター１３とを備え、例えば夜間や曇天時等では、電熱ヒーター１３で追い焚きして貯槽１１の水温を高めることができる。
【考案の概要】
【考案が解決しようとする課題】
【０００３】
従来の太陽熱を利用した温水装置では、電熱ヒーター１３により、適切な使用温度に至らない水温を上げることで、天候の影響を受けずにいつでも適切な水温でユーザー側に給湯することができる。ただ、電熱ヒーター１３で貯槽１１内の全ての水を加熱しても、通常使い切ることはないため、必要以上に電気を消費してしまうことになるので、その分むだになる。また、貯槽１１からユーザー側の給湯口までの配管内の水が加熱されることなく供給されるため、その分は別の用途に回されたり捨てられたりするので、むだになる。また、貯槽１１内の水が電熱ヒーター１３で繰り返し加熱されると水中の不純物が槽内に沈積して、水質が悪化するため、貯槽１１を洗浄したり新品に交換したりしなければならない問題点がある。
【０００４】
本考案は、上記問題点を解決してなされたものであり、ユーザー側の温水器に合せて用いられる加熱制御装置を提供することを目的とする。
【課題を解決するための手段】
【０００５】
一の観点によれば、本考案は、太陽熱温水システムに適用する加熱制御装置であって、前記太陽熱温水システムに連結された水入り部と、前記水入り部と連通するように連結された第１の水出し部と、前記水入り部と連通するように連結された第２の水出し部とを有し、前記水入り部と前記第１の水出し部との間を連通させると共に前記水入り部と前記第２の水出し部との間を遮断する通常状態と前記水入り部と前記第１の水出し部との間を遮断すると共に前記水入り部と前記第２の水出し部との間を連通させるワーク状態とに切り替えるバルブモジュールとを有するバルブユニットと、前記水入り部と連結され、前記水入り部からの水の温度変化により生じた感知信号を出力する温度感知部材と、前記温度感知部材に電気的に連結され、基準信号範囲が内蔵され、前記温度感知部材からの感知信号を受けると共に、当該感知信号が前記基準信号範囲内にあると、前記バルブモジュールが前記ワーク状態に切替えるように駆動制御する制御モジュールとを有する制御ユニットと、を備えていることを特徴とする加熱制御装置を提供する。
【０００６】
前記加熱制御装置では、前記バルブモジュールは、前記水入り部及び前記第１の水出し部の間に設けられた常開式電磁バルブと、前記水入り部及び前記第２の水出し部の間に設けられた常閉式電磁バルブとを有し、前記制御モジュールは、前記常開式電磁バルブ及び常閉式電磁バルブの間に電気的に連結されたことを特徴とする。
【０００７】
他の観点によれば、本考案は、太陽熱温水システムに適用する加熱制御装置であって、水供給配管と、水供給配管内の水を加熱する加熱モジュールとを有する温水供給器と、前記太陽熱温水システム及び前記温水供給器の間に連結されたバルブユニットであって、前記太陽熱温水システムと連通する水入り部と、前記水入り部と連通するように連結された第１の水出し部と、前記水入り部と連通するように連結された第２の水出し部と、前記水入り部と前記第１の水出し部との間を連通させると共に前記水入り部と前記第２の水出し部との間を遮断する通常状態と前記水入り部と前記第１の水出し部との間を遮断すると共に前記水入り部と前記第２の水出し部との間を連通させるワーク状態とに切替えるバルブモジュールとを有するバルブユニットと、前記水入り部と連結され、前記水入り部からの水の温度変化により生じた感知信号を出力する温度感知部材と、前記温度感知部材に電気的に連結され、基準信号範囲が内蔵され、前記温度感知部材からの感知信号を受けると共に、当該感知信号が前記基準信号範囲内にあると、前記バルブモジュールが前記ワーク状態に切替えるように駆動制御する制御モジュールとを有する制御ユニットと、を備えていることを特徴とする加熱制御装置をも提供する。
【０００８】
本考案の加熱制御装置において、前記バルブモジュールは、前記水入り部及び前記第１の水出し部の間に設けられた常開式電磁バルブと、前記水入り部及び前記第２の水出し部の間に設けられた常閉式電磁バルブとを有し、前記制御モジュールは、前記常開式電磁バルブ及び常閉式電磁バルブの間に電気的に連結されたことを特徴とする。
【０００９】
本考案の加熱制御装置において、前記制御ユニットは、前記通常状態及び前記ワーク状態により異なる発光信号を発する報知部材を更に有することが好ましい。
【考案の効果】
【００１０】
本考案の加熱制御装置によれば、バルブユニットは通常ユーザー側に配置された温水供給器と連結されるようになっており、水入り部からの水の温度変化により生じた感知信号が制御モジュールに出力され、制御モジュール内蔵の基準信号範囲からはずれる場合、例えば水温が低いとき、水が温水供給器における加熱モジュールによって加熱されるように流れるので、ユーザー側へは水温が低い水ではなく水温が適切な湯を供給することができ、むだに捨てたりすることがなくなり、経済的である。また、制御モジュールに出力された感知信号が基準信号範囲内にあると、水温がユーザーのニーズに合う程度に高いとして、制御モジュールがバルブモジュールを駆動して太陽熱温水システムから直接給湯するように切替えるように制御することができるので、温水供給器を経ずに直接ユーザー側に給湯することができる。従って、他の加熱装置を介さずに済み、経済的である。
【図面の簡単な説明】
【００１１】
【図１】本考案に係る加熱制御装置の一実施形態を適用してなる太陽熱温水システムを示す構成図である。
【図２】図１の加熱制御装置における制御ユニットの回路構成を説明する図である。
【図３】本考案に係る加熱制御装置の他の実施形態を適用してなる太陽熱温水システムを示す構成図である。
【図４】図３の加熱制御装置における制御ユニットの回路構成を説明する図である。
【図５】従来の太陽熱を利用する温水装置の一例を示す図である。
【考案を実施するための形態】
【００１２】
以下、本考案の加熱制御装置のいくつの実施形態を適用してなる太陽熱温水システムを添付図面を参照して説明する。
【第１の実施形態】
【００１３】
本考案に係る加熱制御装置の第１の実施形態として太陽熱温水システム９００に適用して構成されるものであって、バルブユニット２０と制御ユニット３０とを備えている。この実施形態において、加熱制御装置２００を温水供給器５０と組み合せて太陽熱温水システム９００における補助加熱装置５００として構成される。なお、実際、加熱制御装置２００及び補助加熱装置５００はそれぞれ、独立して製造・販売可能に構成されるようになっている。
【００１４】
温水供給器５０は、ユーザー側にお湯を供給するように、水供給配管５１と、水供給配管５１内の水を加熱する加熱モジュール５２とを有する。この実施形態において、加熱モジュール５２として恒温式ガス温水器を用いたが、例えば瞬間加熱式電熱器のような電力による電熱式手段を使っても良い。
【００１５】
バルブユニット２０は、太陽熱温水システム９００及び温水供給器５０の間に連結されており、太陽熱温水システム９００と連通するように連結された水入り部２１と、水入り部２１と連通するように連結された第１の水出し部２２と、水入り部２１と連通するように連結された第２の水出し部２３と、水入り部２１と第１の水出し部２２との間を連通させると共に水入り部２１と第２の水出し部２３との間を遮断する通常状態と水入り部２１と第１の水出し部２２との間を遮断すると共に水入り部２１と第２の水出し部２３との間を連通させるワーク状態とに切り替えるバルブモジュール２４とを有する。
【００１６】
なお、この実施形態において、バルブモジュール２４として、図２に示すように、電磁バルブ２４１を用いる。
【００１７】
制御ユニット３０は、水入り部２１と連結された温度感知部材３１と、温度感知部材３１と電気的に連結され、基準信号範囲が内蔵されている制御モジュール３２とを有する。この実施形態において、制御ユニット３０は、設定部材３３と、報知部材３４とを更に有する。
【００１８】
温度感知部材３１は、水入り部２１からの水の温度変化により生じた感知信号を出力する。なお、この実施形態において、感知信号とは電圧信号であり、基準信号範囲とは電圧範囲である。
【００１９】
制御モジュール３２は、温度感知部材３１からの感知信号を受けると共に、当該感知信号が基準信号範囲内にあると、バルブモジュール２４がワーク状態に切替えるように駆動制御する。この実施形態において、制御モジュール３２としてマイクロプロセッサーを用いる。
【００２０】
設定部材３３は、例えばボタンを用い、押圧により制御ユニット３０がバルブモジュール２４を通常状態及びワーク状態のいずれかにホールドさせるようにする。
【００２１】
報知部材３４は、通常状態及びワーク状態により、例えば異なる発光信号を発するように構成されるものであり、例えば発光ダイオードを用いる。
【００２２】
以上のように構成された加熱制御装置の動作を以下に説明する。
【００２３】
この実施形態では、バルブユニット２０はユーザー側に配置された温水供給器５０と連結されているようになっており、水入り部２１からの水の温度変化により生じた感知信号が制御モジュール３２に出力され、制御モジュール３２内蔵の基準信号範囲からはずれる場合、例えば水温が低いとき、水が第１の水出し部２２を介して温水供給器５０の水供給配管５１にて加熱モジュール５２によって加熱されるように流れるので、ユーザー側へは水温が低い水ではなく水温が適切な湯を供給することができ、むだに捨てたりすることがなくなり、経済的である。また、制御モジュール３２に出力された感知信号が基準信号範囲内にあると、水温がユーザーのニーズに合う程度に高いとして、制御モジュール３２がバルブモジュール２４を駆動して太陽熱温水システムから直接給湯するワーク状態に切替えるように制御することができるので、太陽熱温水システム９００のお湯が温水供給器５０を経ずに直接ユーザー側に給湯することができる。従って、他の加熱装置を介さずに済み、経済的である。
【第２の実施形態】
【００２４】
図３は、本考案に係る加熱制御装置の第２の実施形態を適用してなる太陽熱温水システムを示す構成図である。図４は、図３の加熱制御装置における制御ユニットの回路構成を説明する図である。なお、図１と図２に示す構成と同一の構成及び機能を有する構成要素については、同一番号を付してその詳細な説明を省略する。
【００２５】
この実施形態では、バルブユニット２０のバルブモジュール２４は、水入り部２１及び第１の水出し部２２の間に設けられて水入り部２１と第１の水出し部２２との間が常に連通するように切替える常開式電磁バルブ２４２と、水入り部２１及び第２の水出し部２３の間に設けられて水入り部２１と第２の水出し部２３との間が常に遮断されるように切替える常閉式電磁バルブ２４３とを有する。また、制御モジュール３２は、常開式電磁バルブ２４２及び常閉式電磁バルブ２４３の間に電気的に連結されている。
【００２６】
この実施形態では、水入り部２１からの水が常開電磁バルブ２４２を介して第１の水出し部２２に流れて温水供給器５０によって加熱されることができる。水入り部２１からの水が十分熱い場合、常開式電磁バルブ２４２によって水供給配管５１へは流れないように強制的に遮断されると共に、常閉式電磁バルブ２４３によって水入り部２１から第２の水出し部２３を介してユーザー側に直接流れるように連通されるようになっている。
【００２７】
以上により、本考案の加熱制御装置によれば、水などの資源を無駄にすることがなく、加熱エネルギーの節減を図ることができる。
【符号の説明】
【００２８】
２０  バルブユニット
２１  水入り部
２２  第１の水出し部
２３  第２の水出し部
２４  バルブモジュール
２４１  電磁バルブ
２４２  常開式電磁バルブ
２４３  常閉式電磁バルブ
３０  制御ユニット
３１  温度感知部材
３２  制御モジュール
３３  設定部材
３４  報知部材
５０  温水供給器
５１  水供給配管
５２  加熱モジュール
５００  加熱制御装置
９００  太陽熱温水システム
【図１】
0003166816.tif 000003
【図２】
0003166816.tif 000004
【図３】
0003166816.tif 000005
【図４】
0003166816.tif 000006
【図５】
0003166816.tif 000007